(57)【特許請求の範囲】
【請求項１】
航空機のエンジンを内部に収納するダクトと、
前記ダクトと前記エンジンとの間に形成される隙間の量を調節することによってコアンダ効果による推力を発生させる調節機構と、
を備える航空機の推力偏向装置。
【請求項２】
前記調節機構は、前記ダクトと前記エンジンとの間に形成される鉛直方向における隙間の量を調節することによって上向き又は下向きの推力を発生させるように構成される請求項１記載の航空機の推力偏向装置。
【請求項３】
航空機のエンジンを内部に収納するダクトと前記エンジンとの間に形成される隙間の量を調節することによってコアンダ効果による推力を発生させる航空機の推力偏向方法。
【発明の詳細な説明】
【技術分野】
【０００１】
本発明の実施形態は、航空機の推力偏向装置及び航空機の推力偏向方法に関する。
【背景技術】
【０００２】
航空機の離着陸時には、隙間を有する高揚力装置から発生する騒音を低減させることが課題となる。高揚力装置は、フラップ等の航空機の揚力を増加させる装置である。高揚力装置から発生する騒音を低減させる手法としては、エンジンの推力偏向（ＴＶ：ｔｈｒｕｓｔ  ｖｅｃｔｏｒｉｎｇ）によって騒音を低減させる方法が知られている（例えば特許文献１参照）。スラスト・ベクタリングは、エンジンの噴流の向きをノズルで変えることによって推力の向きを偏向させる技術である。
【０００３】
スラスト・ベクタリングによってエンジンの推力を上下方向に偏向させると、推力の鉛直成分を発生させることができる。このため、スラスト・ベクタリングによって揚力を増大させることことができる。その結果、高揚力装置に要求される揚力を必要最小限に留めることが可能となり、高揚力装置の構成を簡易にすることができる。
【先行技術文献】
【特許文献】
【０００４】
【特許文献１】特開２００２−３５７１５８号公報
【発明の概要】
【発明が解決しようとする課題】
【０００５】
しかしながら、スラスト・ベクタリングを行うためには、エンジンの後方にスイベルノズルやパドル等の機能部品を設置する必要がある。これらのスラスト・ベクタリングを行うための機能部品の構造は複雑であり、重量の増加に繋がる。しかも、スラスト・ベクタリングを行うための機能部品には、ジェット排気の高温に耐え得る耐久性が要求される。
【０００６】
そこで、本発明は、より簡易な構成でエンジンの推力偏向を行うことができるようにすることを目的とする。
【課題を解決するための手段】
【０００７】
本発明の実施形態に係る航空機の推力偏向装置は、ダクトと調節機構とを備える。ダクトは、航空機のエンジンを内部に収納する。調節機構は、前記ダクトと前記エンジンとの間に形成される隙間の量を調節することによってコアンダ効果による推力を発生させる。
また、本発明の実施形態に係る航空機の推力偏向方法は、航空機のエンジンを内部に収納するダクトと前記エンジンとの間に形成される隙間の量を調節することによってコアンダ効果による推力を発生させるものである。
【図面の簡単な説明】
【０００８】
【図１】本発明の実施形態に係る航空機の推力偏向装置の構成図。
【図２】図１に示す推力偏向装置の作用を説明する図。
【発明を実施するための形態】
【０００９】
本発明の実施形態に係る航空機の推力偏向装置及び航空機の推力偏向方法について添付図面を参照して説明する。
【００１０】
（構成及び機能）
図１は本発明の実施形態に係る航空機の推力偏向装置の構成図である。
【００１１】
航空機の推力偏向装置１は、航空機のエンジン２によって得られる推力を偏向させる装置である。推力偏向装置１は、航空機のエンジン２を内部に収納するダクト３、調節機構４及び制御装置５によって構成することができる。
【００１２】
ダクト３は、円筒状の構造を有し、ターボファンエンジン等のエンジンを覆うカバー（エンジンナセル又はエンジンカウルとも呼ばれるダクト）の外側に配置される。エンジン２は、パイロン６と呼ばれる支柱によって航空機の主翼に取付けられる。このため、ダクト３の側面には、パイロン６を通すための貫通孔が設けられ、ダクト３の側面に設けられた貫通孔から突出するパイロン６が、航空機の翼に固定される。
【００１３】
従って、ダクト３を、主翼にエンジン２を懸吊するためのパイロン６によって保持することができる。その場合、ダクト３は、調節機構４を介して可動な状態でパイロン６に取付けられる。或いは、ダクト３を、主翼に懸吊するようにしてもよい。その場合においても、ダクト３は、調節機構４を介してパイロン６をスライドさせることが可能な状態でパイロン６と連結される。
【００１４】
調節機構４は、ダクト３とエンジン２の間に形成される隙間の量を調節するための装置である。すなわち、調節機構４により、エンジン２に対するダクト３の相対位置を変えることができる。調節機構４は、エンジン２及びダクト３の少なくとも一方をパイロン６の長手方向に沿ってスライドさせることが可能な任意の機構によって構成することができる。
【００１５】
具体例として、調節機構４は、モータとラック・アンド・ピニオンによって構成することができる。ラックは、歯切りをした直線状の棒であり、ピニオンはラックと噛み合う小口径の円形歯車である。
【００１６】
ダクト３側をスライドさせる調節機構４としてラック・アンド・ピニオンを用いる場合には、ラックがパイロン６に固定され、ラックと噛み合うピニオンがダクト３に固定される。更に、ダクト３側にモータが設けられ、モータの出力軸が、ベルト等によってピニオンと連結される。これにより、モータを回転させるとピニオンが回転し、ラックの直線的な移動によってダクト３をパイロン６の長手方向に沿って概ね鉛直方向に相対移動させることが可能となる。
【００１７】
一方、エンジン２側をスライドさせる調節機構４としてラック・アンド・ピニオンを用いる場合には、ラックをパイロン６に固定し、ラックと噛み合うピニオン及びピニオンを回転させるモータを主翼側に取付ければよい。その場合には、調節機構４によって、パイロン６が主翼に対して可動する構造となる。
【００１８】
制御装置５は、調節機構４に制御信号を出力して制御する装置である。調節機構４の制御方法としては、電気信号による電子制御、油圧制御及び空気圧制御のいずれを用いてもよい。制御装置５を操作するための装置は、操縦室に設けられる。このため、パイロットによる調節機構４の手動操作が可能である。また、エンジン２によって発生させるべき推力の指示情報に基づいて制御装置５が調節機構４を自動制御するようにしてもよい。
【００１９】
（動作及び作用）
次に推力偏向装置１の動作及び作用について説明する。
【００２０】
図２は、図１に示す推力偏向装置１の作用を説明する図である。
【００２１】
調節機構４によってダクト３とエンジン２との間に形成される隙間の量を調整すると、コアンダ効果による推力を発生させることができる。コアンダ効果は、粘性流体の噴流（ジェット）が近くの壁に引き寄せられる効果である。
【００２２】
より具体的には、ダクト３とエンジン２との間に形成される鉛直方向における隙間の量を調節すると、コアンダ効果によって上向き又は下向きの推力を発生させることができる。
【００２３】
例えば図２（Ａ）に示すように、ダクト３を上方に移動させると、ダクト３とエンジン２との間に形成される下側の空隙が狭くなる。すなわち、ダクト３の下側の内壁がエンジン２のナセルの下側の外壁に接近する。その結果、ダクト３とエンジン２のナセルとの間の隙間に流入する空気の流量は、コアンダ効果によってナセルの下方よりもナセルの上方の方が大きくなる。
【００２４】
従って、エンジン２から排気される噴流はナセルの上方を流れる空気の圧力によって斜め下方に曲げられる。その結果、ダクト３からは噴流が斜め下方に向かって排気される。これにより、上向きの推力成分を発生させることができる。つまり、エンジン２による推力を下方に偏向することができる。
【００２５】
逆に、図２（Ｂ）に示すように、ダクト３を下方に移動させると、ダクト３とエンジン２との間に形成される上側の空隙が狭くなる。すなわち、ダクト３の上側の内壁がエンジン２のナセルの上側の外壁に接近する。その結果、ダクト３とエンジン２のナセルとの間の隙間に流入する空気の流量は、コアンダ効果によってナセルの上方よりもナセルの下方の方が大きくなる。
【００２６】
従って、エンジン２から排気される噴流はナセルの下方を流れる空気の圧力によって斜め上方に曲げられる。その結果、ダクト３からは噴流が斜め上方に向かって排気される。これにより、下向きの推力成分を発生させることができる。つまり、エンジン２による推力を上方に偏向することができる。
【００２７】
このように、ダクト３とエンジン２のナセルとの間における隙間を流れる空気の流量を調整することによって、エンジン２から排気される噴流を上下方向に曲げることができる。
【００２８】
つまり以上のような航空機の推力偏向装置１及び航空機の推力偏向方法は、エンジン２のナセルの外側にダクト３を配置して２重ダクトを構成し、２重ダクト間の隙間を調節することによりエンジン２の推力を偏向するようにしたものである。
【００２９】
（効果）
このため、航空機の推力偏向装置１及び航空機の推力偏向方法によれば、コアンダ効果を利用して軽量かつ簡易な機構でエンジン２による推力の偏向を行うことができる。すなわち、エンジン２により発生した推力を上下方向に偏向することができる。
【００３０】
このため、航空機の離着陸時において、高揚力装置の働きを補助することができる。その結果、高揚力装置の構造を簡素化し、高揚力装置に設けられる隙間等による騒音を抑制することができる。
【００３１】
加えて、航空機の離着陸時における高揚力装置の補助のみならず、機体の操縦の補助として推力偏向装置１を用いることも可能である。例えば、航空機に作用する空気力及びエンジン２の推力を釣り合せて操縦力をゼロにするトリム調整の補助として推力偏向装置１を用いることができる。
【００３２】
従って、調節機構４によってダクト３とエンジン２との間に形成される鉛直方向における隙間の量に加えて、水平方向における隙間の量を調節できるようにしてもよい。その場合には、エンジン２及びダクト３の少なくとも一方を２軸方向にスライドさせることが可能な複数のギアの組合せ等の任意の機構によって調節機構４を構成することができる。これにより、コアンダ効果によって、上向き又は下向きの推力のみならず、航空機の進行方向に向かって左向き及び右向きの推力を発生させることも可能となる。
【００３３】
以上、特定の実施形態について記載したが、記載された実施形態は一例に過ぎず、発明の範囲を限定するものではない。ここに記載された新規な方法及び装置は、様々な他の様式で具現化することができる。また、ここに記載された方法及び装置の様式において、発明の要旨から逸脱しない範囲で、種々の省略、置換及び変更を行うことができる。添付された請求の範囲及びその均等物は、発明の範囲及び要旨に包含されているものとして、そのような種々の様式及び変形例を含んでいる。
【符号の説明】
【００３４】
１  推力偏向装置
２  エンジン
３  ダクト
４  調節機構
５  制御装置
６  パイロン
【図１】
0006506069.tif 000002
【図２】
0006506069.tif 000003